(57)【要約】【課題】  複写機における濃度調整や色調整をどのようにしても、元原稿とまったく同じコピー原稿が複製されることを防止できるようにする。【解決手段】  複写処理前は面積階調が等しく、複写処理後は面積階調が異なる第１の画像Ａ１と第２の画像Ａ２とから第１の地紋画像１を第１の色で構成し、複写処理前は面積階調が等しく、複写処理後は面積階調が異なる第３の画像Ｂ１と第４の画像Ｂ２とから上記第１の色とは異なる第２の色で第２の地紋画像２を構成し、第１の地紋画像１と第２の地紋画像２とを合成してページ画像を形成する。【選択図】  図１
2005167826.tif 000002
【特許請求の範囲】
【請求項１】
複写処理前は面積階調が等しく、第１の条件での複写処理の後は面積階調が異なる第１の画像と第２の画像とから第１の地紋画像を第１の色で構成する第１の地紋構成工程と、
上記複写処理前は面積階調が等しく、第２の条件での複写処理の後は面積階調が異なる第３の画像と第４の画像とから第２の地紋画像を、上記第１の色とは異なる第２の色で構成する第２の地紋構成工程と、
上記第１の地紋構成工程にて構成された第１の地紋画像と、上記第２の地紋構成工程にて構成された第２の地紋画像とを合成してページ画像を形成するページ画像形成工程とを有することを特徴とする画像処理方法。
【請求項２】
上記第１の地紋構成工程は、
第１の要素画像から上記第１の画像を上記第１の色で構成する第１の画像構成工程と、
上記第１の要素画像とは異なる第２の要素画像から上記第２の画像を上記第１の色で構成する第２の画像構成工程とを有し、
上記第１の画像構成工程にて構成された第１の画像と、上記第２の画像構成工程にて構成された第２の画像とを配置して上記第１の地紋画像を構成し、
上記第２の地紋構成工程は、
第３の要素画像から上記第３の画像を上記第２の色で構成する第３の画像構成工程と、
上記第３の要素画像とは異なる第４の要素画像から上記第４の画像を上記第２の色で構成する第４の画像構成工程とを有し、
上記第３の画像構成工程にて構成された第３の画像と、上記第４の画像構成工程にて構成された第４の画像とを配置して上記第２の地紋画像を構成することを特徴とする請求項１記載の画像処理方法。
【請求項３】
上記第１の要素画像と上記第３の要素画像とは、大きさ及び要素画像の配置間隔が等しいとともに、
上記第２の要素画像と上記第４の要素画像とは、大きさ及び要素画像の配置間隔が等しいことを特徴とする請求項２記載の画像処理方法。
【請求項４】
上記第１の色及び上記第２の色の少なくとも一方は、上記複写処理にて使用する読み取り装置が有する照射光源の色と同じ色であることを特徴とする請求項１〜３の何れか１項に記載の画像処理方法。
【請求項５】
複写処理前は面積階調が等しく、第１の条件での複写処理の後は面積階調が異なる第１の画像と第２の画像とから第１の地紋画像を第１の色で構成する第１の地紋構成手段と、
上記複写処理前は面積階調が等しく、第２の条件での複写処理の後は面積階調が異なる第３の画像と第４の画像とから第２の地紋画像を、上記第１の色とは異なる第２の色で構成する第２の地紋構成手段と、
上記第１の地紋構成手段により構成された第１の地紋画像と、上記第２の地紋構成手段により構成された第２の地紋画像とを合成してページ画像を形成するページ画像形成手段とを備えることを特徴とする画像処理装置。
【請求項６】
第１の要素画像から上記第１の画像を上記第１の色で構成する第１の画像構成手段と、
上記第１の要素画像とは異なる第２の要素画像から上記第２の画像を上記第１の色で構成する第２の画像構成手段と、
第３の要素画像から上記第３の画像を上記第２の色で構成する第３の画像構成手段と、
上記第３の要素画像とは異なる第４の要素画像から上記第４の画像を上記第２の色で構成する第４の画像構成手段とをさらに備え、
上記第１の地紋構成手段は、上記第１の画像構成手段により構成された第１の画像と、上記第２の画像構成手段により構成された第２の画像とを配置して上記第１の地紋画像を構成し、
上記第２の地紋構成手段は、上記第３の画像構成手段により構成された第３の画像と、上記第４の画像構成手段により構成された第４の画像とを配置して上記第２の地紋画像を構成することを特徴とする請求項５記載の画像処理装置。
【請求項７】
複写処理前は面積階調が等しく、第１の条件での複写処理の後は面積階調が異なる第１の画像と第２の画像とからなる第１の色の第１の地紋画像と、
上記複写処理前は面積階調が等しく、第２の条件での複写処理の後は面積階調が異なる第３の画像と第４の画像とからなる、上記第１の色とは異なる第２の色の第２の地紋画像とで形成されたページ画像を有することを特徴とする印刷媒体。
【請求項８】
複写処理前は面積階調が等しく、第１の条件での複写処理の後は面積階調が異なる第１の画像と第２の画像とから第１の地紋画像を第１の色で構成する第１の地紋構成ステップと、
上記複写処理前は面積階調が等しく、第２の条件での複写処理の後は面積階調が異なる第３の画像と第４の画像とから第２の地紋画像を、上記第１の色とは異なる第２の色で構成する第２の地紋構成ステップと、
上記第１の地紋構成ステップにて構成された第１の地紋画像と、上記第２の地紋構成ステップにて構成された第２の地紋画像とを合成してページ画像を形成するページ画像形成ステップとをコンピュータに実行させるためのプログラム。
【請求項９】
第１の要素画像から第１の画像を第１の色で構成する第１の画像構成ステップと、
上記第１の要素画像とは異なる第２の要素画像から、上記第１の画像に対して複写処理前は面積階調が等しく、第１の条件での複写処理の後は面積階調が異なる第２の画像を上記第１の色で構成する第２の画像構成ステップと、
上記第１の画像構成ステップにて構成された第１の画像と、上記第２の画像構成ステップにて構成された第２の画像とを配置して第１の地紋画像を構成する第１の地紋構成ステップと、
第３の要素画像から第３の画像を、上記第１の色とは異なる第２の色で構成する第３の画像構成ステップと、
上記第３の要素画像とは異なる第４の要素画像から、上記第３の画像に対して複写処理前は面積階調が等しく、第２の条件での複写処理の後は面積階調が異なる第４の画像を上記第２の色で構成する第４の画像構成ステップと、
上記第１の地紋構成ステップにて構成された第１の地紋画像と、上記第２の地紋構成ステップにて構成された第２の地紋画像とを合成してページ画像を形成するページ画像形成ステップとをコンピュータに実行させるためのプログラム。
【請求項１０】
請求項８又は９記載のプログラムを記録したことを特徴とするコンピュータ読み取り可能な記録媒体。
【発明の詳細な説明】
【技術分野】
【０００１】
本発明は、画像処理方法、画像処理装置、印刷媒体、記録媒体及びプログラムに関し、詳しくは、文書等の複写を防止するための複写防止画像の形成に関する。
【背景技術】
【０００２】
従来、複写機を用いて文書等を複写しても、元原稿（原本）と複写物との違いが明らかになるような文書の作成方法があった（例えば、特許文献１参照。）。
上記特許文献１には、原稿画像を読み取るＣＣＤと、その出力をデジタル画像情報に変換するＡ／Ｄ変換部とを有し、Ａ／Ｄ変換部から出力されるデジタル画像情報に基づいて記録を行うデジタル記録装置が開示されている。具体的には、特定の共通濃度であって第１線数の網点で構成される第１画像データ及び第２線数の網点で構成される第２画像データを出力する２種類のディザ処理部と、所定の画像パターンを登録する記憶部と、記憶部から読み出された画像パターンの画像部と背景部とに対応させて、２種類のディザ処理部から第１画像データ又は第２画像データの何れか一方を選択する選択部と、選択部からの画像データとデジタル画像情報とを加算する加算部とを有し、加算部からの出力に基づいて記録を行うことが開示されている。
これによれば、文字部（画像部）と背景部とが面積率が一定のドットで構成されているため、肉眼では網点の線数差が目立たず、一様な濃度に見えるグレー領域中に文書が形成されたオリジナル原稿画像が作成される、即ち、文字部が背景部に隠れ、全体にグレーの画像領域として見える、と記載されている。
【０００３】
また、デジタル複写機は、ＣＣＤを用いて画像を読み取る。ＣＣＤは、特定の配列間隔（例えば、４００ｄｐｉ）で主走査方向に画像を領域分割して読み取る。このため、周期的な線数の網点画像を読み取る場合にはモアレが発生し、線数が異なる領域では、各々発生するモアレの発生周期が異なり、これがモアレの差となる。上述したオリジナル原稿画像をデジタル複写機を用いてコピーした場合には、文字部に相当する第１線数のグレー領域と背景部に相当する第２線数のグレー領域とは、網点の線数差がモアレの差となって、隠された文字部と背景部とが識別でき、文字部がクッキリと浮かび上がって見える複写原稿画像が作成される、と記載されており、元原稿と複写物とを異ならせる技術が上記特許文献１には説明されている。
【０００４】
また、上記特許文献１以外にも、面積濃度が等しく、画像を構成する要素が互いに異なる２つの画像（潜像画像と周辺画像）を文書の背景に配置して、複写すると、画像を構成する要素の違いから、一方の画像が消える或いは２つの画像の濃度差が大きくなることで、複写物において潜像画像を浮かび上がらせる技術が開示されている（例えば、特許文献２、３、４参照。）。
【０００５】
また、画面を構成するパターン中の２種のパターンをそれぞれ色相が異なる特定色で印刷形成してなり、カラーコピー機のある一定の複写条件で特定色の一方が消色してコピーされ、他方が変色してコピーされるようにして、複写条件をいかように調整しても２つの特定色の同時色再現が不可能な印刷物に関する技術が開示されている（例えば、特許文献５参照。）。
【０００６】
【特許文献１】特開平７−２３１３８４号公報
【特許文献２】特開２００１−２３８０７５号公報
【特許文献３】特開２００１−３２４８９８号公報
【特許文献４】特開２００１−１９７２９７号公報
【特許文献５】特開平９−１２３５８６号公報
【発明の開示】
【発明が解決しようとする課題】
【０００７】
しかしながら、近年における複写機の技術発達は目覚しく、元原稿とほとんど同じ複写物を得られるほどに技術が向上している。そのため、上記特許文献１〜４に記載された技術を適用して作成した文書であっても、複写機の読み取り濃度を調整すれば、潜像画像と周辺画像との濃度が等しいままに複写できる可能性がある。
【０００８】
また、上記特許文献５に記載された技術を適用した印刷物においても、近年の色再現性が良好なカラー複写機を用い、複写時の色調整を適切に行えば、２種のパターンに対応する両方の特定色とも消色及び変色させずに複写することが可能である。
【０００９】
本発明は、このような事情に鑑みてなされたものであり、複写機における濃度調整や色調整をどのように行っても、元原稿とまったく同じ複写物が得られることを防止できるようにすることを目的とする。
【課題を解決するための手段】
【００１０】
本発明の画像処理方法は、複写処理前は面積階調が等しく、第１の条件での複写処理の後は面積階調が異なる第１の画像と第２の画像とから第１の地紋画像を第１の色で構成する第１の地紋構成工程と、上記複写処理前は面積階調が等しく、第２の条件での複写処理の後は面積階調が異なる第３の画像と第４の画像とから第２の地紋画像を、上記第１の色とは異なる第２の色で構成する第２の地紋構成工程と、上記第１の地紋構成工程にて構成された第１の地紋画像と、上記第２の地紋構成工程にて構成された第２の地紋画像とを合成してページ画像を形成するページ画像形成工程とを有することを特徴とする。
本発明の画像処理装置は、複写処理前は面積階調が等しく、第１の条件での複写処理の後は面積階調が異なる第１の画像と第２の画像とから第１の地紋画像を第１の色で構成する第１の地紋構成手段と、上記複写処理前は面積階調が等しく、第２の条件での複写処理の後は面積階調が異なる第３の画像と第４の画像とから第２の地紋画像を、上記第１の色とは異なる第２の色で構成する第２の地紋構成手段と、上記第１の地紋構成手段により構成された第１の地紋画像と、上記第２の地紋構成手段により構成された第２の地紋画像とを合成してページ画像を形成するページ画像形成手段とを備えることを特徴とする。
本発明の印刷媒体は、複写処理前は面積階調が等しく、第１の条件での複写処理の後は面積階調が異なる第１の画像と第２の画像とからなる第１の色の第１の地紋画像と、上記複写処理前は面積階調が等しく、第２の条件での複写処理の後は面積階調が異なる第３の画像と第４の画像とからなる、上記第１の色とは異なる第２の色の第２の地紋画像とで形成されたページ画像を有することを特徴とする。
本発明のプログラムは、複写処理前は面積階調が等しく、第１の条件での複写処理の後は面積階調が異なる第１の画像と第２の画像とから第１の地紋画像を第１の色で構成する第１の地紋構成ステップと、上記複写処理前は面積階調が等しく、第２の条件での複写処理の後は面積階調が異なる第３の画像と第４の画像とから第２の地紋画像を、上記第１の色とは異なる第２の色で構成する第２の地紋構成ステップと、上記第１の地紋構成ステップにて構成された第１の地紋画像と、上記第２の地紋構成ステップにて構成された第２の地紋画像とを合成してページ画像を形成するページ画像形成ステップとをコンピュータに実行させることを特徴とする。
本発明のコンピュータ読み取り可能な記録媒体は、上述したプログラムを記録したことを特徴とする。
【発明の効果】
【００１１】
本発明によれば、ページ画像として第１の色の地紋画像と第２の色の地紋画像とを有する画像が形成されるので、どのように複写機における濃度調整や色調整が行われても、元原稿とまったく同じ複写物を得ることを防止することができ、原本性が要求される証明書などの不正コピーを確実に防止することができる。
【発明を実施するための最良の形態】
【００１２】
以下、本発明の実施形態を図面に基づいて説明する。
図１は、本発明の一実施形態による複写防止画像が形成された複写防止用紙の一例を示す図である。なお、図１においては、文書の背景画像としての複写防止画像のみを示しているが、通常、実際の文書等ではこの背景画像の上に文字・写真等が重ねて印刷される。
【００１３】
図１において、１は第１の地紋画像であり、第１の画像Ａ１と第２の画像Ａ２とで構成される。同様に、２は第２の地紋画像であり、第３の画像Ｂ１と第４の画像Ｂ２とで構成される。第１の地紋画像１は緑色の画像であり、第２の地紋画像２はオレンジ色の画像である。なお、特許請求の範囲に記載した「第１の条件」とは、第１の地紋画像を形成する第１の色（本実施形態では緑色）と異なる色の照射光を使った複写条件のことであり、また「第２の条件」とは、第２の地紋画像を形成する第２の色（本実施形態ではオレンジ色）と異なる照射光を使った複写条件のことである。もちろん、本発明は本実施形態に記載した色の種類に限定されるものではない。
【００１４】
なお、以下の説明において、第２の画像Ａ２及び第４の画像Ｂ２の形状は、それぞれ図１に示したように三角形として説明するが、本発明はこれに限定されるものではなく、第２の画像Ａ２及び第４の画像Ｂ２の形状は任意であり、幾何学的形状に限らず、例えば文字図形であっても良い。また、第２の画像Ａ２の形状と第４の画像Ｂ２の形状とは、図１に示したように同一の形状であっても良いし、異なる形状であっても良い。
【００１５】
次に、第１〜第４の画像Ａ１、Ａ２、Ｂ１、Ｂ２について、図２及び図３を参照し説明する。第１の画像Ａ１と第３の画像Ｂ１とは同様であり、また第２の画像Ａ２と第４の画像Ｂ２とは同様であるので、図２及び図３においては、第１の画像Ａ１及び第２の画像Ａ２についてそれぞれ説明し、第３の画像Ｂ１及び第４の画像Ｂ２については括弧書きにて併せて記す。
【００１６】
図２は、第１の画像Ａ１（第３の画像Ｂ１）の一例を拡大して示した図である。
図２において、２０１は第１の画像Ａ１（第３の画像Ｂ１）を構成する第１の要素画像（第３の要素画像）である。第１の要素画像（第３の要素画像）２０１は、形状がｄ１を直径とする円状であり、内部が緑色（オレンジ色）で塗り潰されている。第１の要素画像（第３の要素画像）２０１は、平面を敷き詰めるように一辺の長さがｐ１の正三角形を配置したと仮定し、その正三角形の各頂点に対応する位置に配置される。つまり、第１の要素画像（第３の要素画像）２０１の配置間隔である要素画像間ピッチはｐ１である。
【００１７】
図３は、第２の画像Ａ２（第４の画像Ｂ２）の一例を拡大して示した図である。
図３において、３０１は第２の画像Ａ２（第４の画像Ｂ２）を構成する第２の要素画像（第４の要素画像）である。第２の要素画像（第４の要素画像）３０１は、形状がｄ２を直径とする円状であり、内部が緑色（オレンジ色）で塗り潰されている。第２の要素画像（第４の要素画像）３０１は、配置間隔である要素画像間ピッチがｐ２であり、平面を敷き詰めるように一辺の長さがｐ２の正三角形を配置したと仮定し、その正三角形の各頂点に対応する位置に配置される。
【００１８】
ここで、第１〜第４の画像Ａ１、Ａ２、Ｂ１、Ｂ２は、印刷した場合には等しい大きさの所定領域２０２、３０２（図２及び図３参照）における面積階調（面積濃度）が等しく（或いは略等しく）なるように各要素画像の大きさｄ１、ｄ２、及び要素画像間ピッチｐ１、ｐ２があらかじめ調整されている。ただし、印刷された画像を緑色（オレンジ色）とは異なる照射光の複写機等を用いて複写して得られた複写物においては、第１の画像Ａ１（第３の画像Ｂ１）と第２の画像Ａ２（第４の画像Ｂ２）との面積階調の差は、観察者が認識可能である。
【００１９】
図４は、上述した図１〜図３に示したようなページ画像を生成可能な、本実施形態による画像処理装置の構成例を示すブロック図である。
図４に示すように、本実施形態における画像処理装置は、地紋データ記憶部４０１、第１画像構成部４０２、第２画像構成部４０３、第３画像構成部４０４、第４画像構成部４０５、第１地紋構成部４０６、第２地紋構成部４０７、ページ画像形成部４０８、画像入力部４０９、及び出力画像形成部４１０を有する。
【００２０】
地紋データ記憶部４０１は、各要素画像の大きさｄ１、ｄ２、要素画像間ピッチｐ１、ｐ２、及び色等の要素画像に係る画像情報を記憶するためのものである。
【００２１】
第１画像構成部４０２は、第１の要素画像２０１の画像情報を地紋データ記憶部４０１から読み込み、当該画像情報に基づいて第１の画像Ａ１を構成する。第２の画像構成部４０３は、第１の要素画像３０１の画像情報を地紋データ記憶部４０１から読み込み、当該画像情報に基づいて第２の画像Ａ２を構成する。
同様に、第３画像構成部４０４及び第４画像構成部４０５は、地紋データ記憶部４０１から第１の要素画像２０１及び第２の要素画像３０１の画像情報を読み込み、当該画像情報に基づいて第３の画像Ｂ１及び第４の画像Ｂ２をそれぞれ構成する。
【００２２】
第１地紋構成部４０６は、第１画像構成部４０２及び第２画像構成部４０３にてそれぞれ構成された第１の画像Ａ１及び第２の画像Ａ２を用いて第１の地紋画像１を構成する。また、第２地紋構成部４０７は、第３画像構成部４０４及び第４画像構成部４０５にてそれぞれ構成された第３の画像Ｂ１及び第４の画像Ｂ２を用いて第２の地紋画像２を構成する。
ページ画像形成部４０８は、第１地紋構成部４０６にて構成された第１の地紋画像１と、第２地紋構成部４０７にて構成された第２の地紋画像２とを合成し、ページ全体の地紋画像を形成する。
【００２３】
画像入力部４０９は、地紋画像とともに印刷する文書等に係る画像（印刷）データ等を入力するものである。
出力画像形成部４１０は、ページ画像形成部４０８にて形成されたページ全体の地紋画像と、画像入力部４０９より入力された画像データとを合成し、出力画像を形成する。なお、出力画像形成部４１０は、図１に示したような複写防止画像のみを出力する場合には、ページ画像形成部４０８にて形成されたページ全体の地紋画像を出力画像として出力する。
【００２４】
上述した本実施形態における画像処理装置は、例えば図５に示すようなハードウェア構成により実現可能である。
図５は、本実施形態における画像処理装置のハードウェア構成例を示す図である。図５においては、コンピュータにプリンタを接続した構成を一例として示しているが、これに限定されるものではなく、コンピュータ機能とプリンタ機能とが一体化されたプリンタあるいはデジタル複合機（例えば、ネットワークに接続されたマルチファンクション装置）のようなものであっても良い。
【００２５】
図５において、５０１はバス、５０２はプログラムを実行し全体を制御するＣＰＵ（Central Processing Unit）、５０３はＢＩＯＳ（Basic Input Output System）が記憶されているＲＯＭ（Read Only Memory）、５０４はプログラムの作業領域であるＲＡＭ（Random Access Memory）、５０５はプリンタ用インターフェース、５０６はプリンタ、５０７はハードディスク用インターフェース、５０８はオペレーティングシステムやプログラム（本実施形態の動作を実行するためのプログラムやアプリケーションソフトウェアなど）及びデータ（要素画像に係る画像情報ｄ１、ｄ２、ｐ１、ｐ２など）を格納するハードディスク（以下「ＨＤＤ」とも称す。）、５０９はキーボード・マウス用インターフェース、５１０はキーボード、５１１はマウス、５１２はモニタ用インターフェース、５１３は表示部としてのモニタである。
【００２６】
図５に示す構成において、ＣＰＵ５０２、ＲＯＭ５０３、ＲＡＭ５０４、及びインターフェース５０５、５０７、５０９、５１２は、バス５０１を介して互いに通信可能に接続されており、ＣＰＵ５０２がＨＤＤ５０８に格納されたプログラムを読み出して実行することで、バス５０１に接続された各構成部を総括的に制御し、画像処理装置における動作が実現される。
【００２７】
図５に示したコンピュータは、ＯＳ（例えば、マイクロソフト社のWindows(R) XPなど）が稼動するコンピュータであり、ハードディスク５０８に文書作成ソフトウェア（例えば、マイクロソフト社のWord）が格納されて利用できるようになっている。
ユーザーである操作者がキーボード５１０とマウス５１１とを操作して文書を作成し、その文書をプリンタ５０６を用いて印刷することができる。このとき、文書の背景画像として図１に示した複写防止画像を、印刷する文書と合成して印刷することができるようになっており、文書データとともに図１に示した複写防止画像を重ねて印刷するためのプリンタドライバ（ＯＳの一部である）がハードディスク５０８に格納されている。
【００２８】
文書作成ソフトウェアにより文書を印刷するとき、このプリンタドライバを選択して印刷を実行すると、プリンタドライバは背景のページ画像、すなわち複写防止画像を生成する。さらに、プリンタドライバは、生成した背景のページ画像に文書データを重ねてレンダリング画像を生成し、レンダリング画像をプリンタ５０６に送信することで文書を印刷するようになっている。このように文書データと背景画像とを重ねて印刷することは、例えばプリンタ５０６のオーバレイ機能を使えば実現可能である。
【００２９】
図６は、本実施形態における画像処理動作の一例を示すフローチャートであり、図６に示す処理は、例えば、上述したプリンタドライバにより実行される。
まず、ステップＳ６０１にて、第１の画像Ａ１を構成する。すなわち、第１画像構成部４０２は、ＨＤＤ５０８により構成される地紋データ記憶部４０１から、第１の要素画像２０１に係る画像情報（大きさｄ１、及び要素画像間ピッチｐ１等）を読み込み、図２に示したような内部が緑色で塗られた第１の要素画像２０１からなる第１の画像Ａ１を構成する。
【００３０】
次に、ステップＳ６０２にて、第２の画像Ａ２を構成する。すなわち、第２画像構成部４０３は、第２の要素画像３０１に係る画像情報（大きさｄ２、及び要素画像間ピッチｐ２等）を地紋データ記憶部４０１から読み込み、図３に示したような内部が緑色で塗られた第２の要素画像３０１からなる第２の画像Ａ２を構成する。
【００３１】
ステップＳ６０３にて、第１地紋構成部４０６は、図１に示したページ上半分（三角形の内部部分は除く。）にステップＳ６０１において構成された第１の画像Ａ１を配置するとともに、ページ上半分における三角形の部分にステップＳ６０２において構成された第２の画像Ａ２を配置して第１の地紋画像１（ページ上半分）を構成する。この第１の地紋画像１を、仮に印刷した場合には、上述したように第１の画像Ａ１と第２の画像Ａ２とは面積階調が等しい（略等しい）ため、観察者の目には第１の地紋画像１が一様に観察され、（一見しただけでは）第１の画像Ａ１と第２の画像Ａ２との識別ができず、並んでいる三角形を認識できない。
【００３２】
次に、ステップＳ６０４にて、第３の画像Ｂ１を構成する。すなわち、第３画像構成部４０４は、第３の要素画像２０１に係る画像情報（大きさｄ１、及び要素画像間ピッチｐ１等）を地紋データ記憶部４０１から読み込み、図２に示したような内部がオレンジ色で塗られた第３の要素画像２０１からなる第３の画像Ｂ１を構成する。
【００３３】
ステップＳ６０５にて、第４の画像Ｂ２を構成する。すなわち、第４画像構成部４０５は、第２の要素画像３０１に係る画像情報（大きさｄ２、及び要素画像間ピッチｐ２等）を地紋データ記憶部４０１から読み込み、図３に示したような内部がオレンジ色で塗られた第２の要素画像３０１からなる第４の画像Ｂ２を構成する。
【００３４】
ステップＳ６０６にて、第２地紋構成部４０７は、図１に示したページ下半分（三角形の内部部分は除く。）にステップＳ６０４において構成された第３の画像Ｂ１を配置し、ページ下半分における三角形の部分にステップＳ６０５において構成された第４の画像Ｂ２を配置して第２の地紋画像２（ページ下半分）を構成する。この第２の地紋画像２を、もし印刷した場合には、上述したように第３の画像Ｂ１と第４の画像Ｂ２とは面積階調が等しいために、観察者の目には第２の地紋画像２が一様に観察され、第３の画像Ｂ１と第４の画像Ｂ２との識別ができず、並んでいる三角形は認識できない。
【００３５】
次に、ステップＳ６０７にて、ページ画像形成部４０８は、ステップＳ６０３において構成された第１の地紋画像１と、ステップＳ６０６において構成された第２の地紋画像２とを合成し、ページ全体の背景画像としての地紋画像を形成する。
【００３６】
そして、出力画像形成部４１０が、この背景画像に文書作成ソフトウェアで作成された文字などで構成された文書データを重ねて出力画像を形成し出力することで、当該出力画像が印刷される。ここで、背景画像を構成する第１の画像Ａ１、第２の画像Ａ２、第３の画像Ｂ１、及び第４の画像Ｂ２の面積階調は、文書データの濃度に対して２０％程度の濃さであるものとする。
【００３７】
また、第１の要素画像（第３の要素画像）２０１の大きさｄ１は、通常の複写機において平均的な濃度設定で複写したときには複写される（消えない）程度の大きさが選択されている。また、第２の要素画像（第４の要素画像）３０１の大きさｄ２は、通常の複写機において平均的な濃度設定で複写したときには複写されない（消える、又は複写された第１の要素画像（第３の要素画像）２０１に対して面積階調が認識可能な程度に低くなる）程度に小さな大きさが選択されている。
【００３８】
このようにして作成された背景画像付の文書を、カラー複写機を用いて複写してコピー文書を作成した場合には、平均的な複写濃度であれば、図１に示した地紋画像１、２における三角形の内部（第２の画像Ａ２と、第４の画像Ｂ２）は、要素画像が複写されず白抜きになる。これにより、コピー文書は、元原稿にはない模様（元原稿では観察者が認識できない模様）が背景画像として現れるので、元原稿とまったく同じものとはならない。
【００３９】
ここで、もし複写機の読み取り濃度を濃くするように調整して複写し、白抜きが生じないようにしようとした場合について説明する。一般に、複写機における読み取り装置（イメージスキャナ）の照射光源の色は、緑色かもしくはオレンジ色である。
【００４０】
例えば、照射光源の色が緑色であると仮定すると、図１における第４の画像Ｂ２に対応する部分は、要素画像３０１がオレンジ色であるので、緑色の光源の光をよく吸収するために白抜きにはならず、色が消えない。すなわち、第４の画像Ｂ２の要素画像３０１は複写される。また、第３の画像Ｂ１も複写されるので、濃度調整及び色調整をすれば、第３の画像Ｂ１と第４の画像Ｂ２との濃さを同じようにして複写できる場合がある。
しかし、図１における第２の画像Ａ２に対応する部分は、要素画像３０１が緑色であり照射光源の色と同じ色であるから、緑色の光源の光をよく反射する。したがって、第２の画像２の部分は、複写機においてどのように濃度調整及び色調整を行っても複写されず白抜きになる。
【００４１】
また、例えば、照射光源の色がオレンジ色であれば、上述した照射光源の色が緑色の場合とは逆になり、第２の画像Ａ２については複写されてしまうことがあるが、第４の画像Ｂ２はどのように調整しても複写されず白抜きになる。
【００４２】
すなわち、照射光源の色にかかわらず、図１に示した複写防止画像を含む文書を複写した場合には、常に、第２の画像Ａ２又は第４の画像Ｂ１のどちらか一方が複写されず白抜きとなる。これにより、複写機においてどのように濃度調整及び色調整を行っても、元原稿とコピー原稿との背景画像（複写防止画像）が異なることとなり、元原稿とまったく同じコピー原稿を絶対に得ることができず、原本性が要求される証明書などの不正コピーを防止することができる。したがって、証明書などの不正コピーを防止したい文書等の作成を、普通紙を用いて安価に確実に行うことができる。
【００４３】
なお、上述した実施形態においては、複写防止画像が表示（印刷）される媒体は用紙としたが、本発明はこれに限定されず、図１に示したような複写防止画像を表面に印刷した他のメディア、例えば、プラスティック、金属板、木製の板、セラミック板、高分子化合物の板、ガラス板等でも良い。
【００４４】
また、上述した実施形態においては、第１の画像Ａ１を図２に示した第１の要素画像２０１で構成し（大きな要素画像からなる画像）、第２の画像Ａ２を図３に示した第２の要素画像３０１で構成したが（小さな要素画像からなる画像）、第１の画像Ａ１を図３に示した第２の要素画像３０１で構成し、第２の画像Ａ２を図２に示した第１の要素画像２０１で構成するようにしても良い。この場合には、複写した際に第１の画像Ａ１に対応するが部分が白くなり、第２の画像Ａ２に対応する部分は色が残るようになる。同様に、第３の画像Ｂ１を図３に示した第２の要素画像３０１で構成し、第４の画像Ｂ２を図２に示した第１の要素画像２０１で構成するようにしても良い。
【００４５】
また、上述した実施形態においては、図２に示した第１の要素画像２０１は、それぞれ同じ大きさの要素画像としているが、面積階調及び要素画像に関する複写性の条件を満足すれば、異なる大きさの要素画像を任意に組み合わせても良い。図３に示した第２の要素画像３０１についても同様である。また、上述した実施形態では、第１及び第２の画像Ａ１、Ａ２を緑色で構成し、第３及び第４の画像Ｂ１、Ｂ２をオレンジ色で構成したが、これに限定されず、第１及び第２の画像Ａ１、Ａ２の色と第３及び第４の画像Ｂ１、Ｂ２の色とが補色的関係もしくはそれに近い関係を有すれば良い。
【００４６】
（本発明の他の実施形態）
上述した実施形態の機能を実現するべく各種のデバイスを動作させるように、該各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
また、この場合、上記ソフトウェアのプログラムコード自体が上述した実施形態の機能を実現することになり、そのプログラムコード自体は本発明を構成する。また、そのプログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００４７】
なお、上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００４８】
【図１】本発明の実施形態における複写防止画像が形成された複写防止用紙の一例を示す図である。
【図２】本発明の実施形態における第１又は第３の画像の一例を示す拡大図である。
【図３】本発明の実施形態における第２又は第４の画像の一例を示す拡大図である。
【図４】本発明の実施形態における画像処理装置の構成例を示すブロック図である。
【図５】本発明の実施形態における画像処理装置のハードウェア構成例を示すブロック図である。
【図６】本発明の実施形態における画像処理動作の一例を示すフローチャートである。
【符号の説明】
【００４９】
４０１  地紋データ記憶部
４０２〜４０５  画像構成部
４０６、４０７  地紋構成部
４０８  ページ画像構成部
４０９  画像入力部
４１０  出力画像形成部
５０１  バス
５０２  ＣＰＵ
５０３  ＲＯＭ
５０４  ＲＡＭ
５０５、５０７、５０９、５１２  インタフェース
５０６  プリンタ
５０８  ＨＤＤ
５１０  キーボード
５１１  マウス
５１３  モニタ
【図１】
2005167826.tif 000003
【図２】
2005167826.tif 000004
【図３】
2005167826.tif 000005
【図４】
2005167826.tif 000006
【図５】
2005167826.tif 000007
【図６】
2005167826.tif 000008